(57)【要約】【課題】ペプチドチップを用いる測定系において、結合シグナルを増幅しながら生体分子の非特異的吸着を抑制することにある。特に、表面プラズモン測定に用いた際に、信頼性の高いデータを得ることのできるペプチドチップを得る。【解決手段】ペプチドが固定化されてなるアレイであって、ペプチドの固定化されていない部分が式（Ｉ）（式中、ｍは１〜２０の整数、ｎは１〜１０の整数を示す。）で示される化合物でコーティングされてなることを特徴とするペプチドアレイ。    【化１】2006226828.tif 000012
【特許請求の範囲】
【請求項１】
ペプチドが固定化されてなるアレイであって、ペプチドの固定化されていない部分が式（Ｉ）（式中、ｍは１〜２０の整数、ｎは１〜１０の整数を示す。）で示される化合物でコーティングされてなることを特徴とするペプチドアレイ。
【化１】
2006226828.tif 000009
【請求項２】
ｍが２〜１０の整数であることを特徴とする請求項１に記載のペプチドアレイ。
【請求項３】
ｍが４〜８の整数であることを特徴とする請求項１又は２に記載のペプチドアレイ。
【請求項４】
ｎが２〜８の整数であることを特徴とする請求項１〜３のいずれかに記載のペプチドアレイ。
【請求項５】
ｎが３〜６の整数であることを特徴とする請求項１〜４のいずれかに記載のペプチドアレイ。
【請求項６】
ペプチドがチオール基を介して固定化されていることを特徴とする請求項１〜５のいずれかに記載のペプチドアレイ。
【請求項７】
式（ＩＩ）もしくは式（ＩＩＩ）に示す化合物を架橋剤として介してペプチドが固定化されていることを特徴とする請求項１〜６のいずれかに記載のペプチドアレイ。
【化２】
2006226828.tif 000010
【化３】
2006226828.tif 000011
【請求項８】
チップ表面が金であることを特徴とする請求項１〜７のいずれかに記載のペプチドアレイ。
【請求項９】
チップの基板が透明基板であることを特徴とする請求項１〜８のいずれかに記載のペプチドアレイ。
【請求項１０】
２種類以上のペプチドが同一チップ上に固定化されることを特徴とする請求項１〜９のいずれかに記載のペプチドアレイ。
【請求項１１】
固定化されるペプチドの少なくとも一方の末端がシステイン残基であることを特徴とする請求項１〜１０のいずれかに記載のペプチドアレイ。
【請求項１２】
固定化されるペプチドのうち少なくとも１種はプロテインキナーゼの基質として機能することを特徴とする請求項１〜１１のいずれかに記載のペプチドアレイ。
【請求項１３】
表面プラズモン共鳴（ＳＰＲ）解析に用いられることを特徴とする請求項１〜１２のいずれかに記載のペプチドアレイ。
【発明の詳細な説明】
【技術分野】
【０００１】
本発明は、物質相互作用の解析系に用いられるペプチドアレイに関する。より詳細には、特定の構造からなる直鎖状のポリエチレングリコール（ＰＥＧ）誘導体をバックグラウンド（Ｂａｃｋｇｒｏｕｎｄ）部分にコーティングすることにより、バックグラウンド部への非特異的な影響を低減され、物質間の結合シグナルとの比を大きくして精度の高い測定が可能なペプチドアレイに関する。
【背景技術】
【０００２】
近年、生体分子の相互作用解析、発現分子のプロファイリング、もしくは診断に用いるバイオチップが注目を集めている。基板上に生体分子が固定化されることで操作が容易になり、場合によっては非常に多くの物質の相互作用を解析することができる。特に比較的分子量の小さなペプチドを基板上に固定化したペプチドアレイは、蛋白質のような変性の問題が比較的少なく、またコンビナトリアルケミストリーの側面が強いことから、近年酵素の基質探索や、あるいはインヒビターの探索などに広く用いられるようになってきている。なかでも、ポストゲノムの中にあっては、蛋白質の翻訳後修飾、特にリン酸化の解析は蛋白質の活性調節、機能調節を詳細に解明するうえで重要である。
【０００３】
これら生体分子同士の相互作用を観察する際に問題になるのが感度と非特異的吸着による影響、すなわち特異性である。ここで非特異的吸着とは、本来であれば相互作用しない分子へ対象物質が非特異的に吸着する場合のことを言う。その結果、擬陽性の判定を与えるため好ましくない。非特異的な吸着を抑制するために、生体高分子が固定化された基板を、デキストラン、ポリエチレングリコール（ＰＥＧ）などの親水性高分子で表面をコートしたバイオチップが開発されている。例えば、カルボキシメチルデキストランのカルボキシル基を水溶性カルボジイミド（ＥＤＣ）とＮ−ヒドロキシスクシンイミド（ＮＨＳ）で活性化し、形成したスクシンイミド基と生体分子を固定化することに成功している（非特許文献１）。これらの親水性高分子には生体分子の非特異的吸着を抑制する効果があることが知られている。しかしながら、親水性高分子のコーティングによって、生体分子が親水性高分子中に埋没してしまい、生体高分子同士の相互作用が阻害されるという問題を生じる場合がある。
【０００４】
この生体高分子同士の相互作用の阻害は、測定シグナル低下の原因となる。この相互作用の阻害は、親水性高分子のコーティングに起因するだけでなく、生体高分子を基板に直接的に結合することによって生じることも少なくない。生体高分子を基板に直接的に結合すると、生体高分子の自由度が抑制されるためである。バイオチップの測定シグナル向上のためには、生体高分子同士の相互作用を容易せしめる必要がある。
【０００５】
測定シグナルを高める上では、チップ上の測定部以外のバックグラウンド部における非特異的な吸着の抑制が特に重要である。このバックグラウンド部にＰＥＧを導入することにより、バックグラクンドにおける非特異吸着の抑制効果を示す報告も種々存在する（非特許文献２及び３）。しかしながら、測定系やその条件によっては必ずしも十分な効果を奏しない場合もあるのが実情である。
【０００６】
本発明は、ペプチドアレイを用いた相互作用解析において、特にバックグラウンド部への非特異吸着を効果的に抑制させることにより、特異性に優れた解析を実現させるためのペプチドアレイを提供するものである。
【０００７】
【非特許文献１】Ａｎａｌ．Ｂｉｏｃｈｅｍ．１９８，２６８，１９９１
【非特許文献２】Ｊ．Ａｍ．Ｃｈｅｍ．Ｓｃｉ．１２１，８０４４，１９９９
【非特許文献３】Ｇｅｎｅ  ｔｏ  Ｃｅｌｌｓ  ９，１５３，２００４
【発明の開示】
【発明が解決しようとする課題】
【０００８】
本発明の課題は、生体分子の特にバックグラウンド部への非特異的吸着を抑制することにより、なおかつ標的物質における結合シグナルを増大させるためのペプチドアレイを提供することにある。
【課題を解決するための手段】
【０００９】
本発明者らは鋭意検討した結果、以下に示すような手段により、上記課題を解決できることを見出し、本発明に到達した。
１．ペプチドが固定化されてなるアレイであって、ペプチドの固定化されていない部分が式（Ｉ）（式中、ｍは１〜２０の整数、ｎは１〜１０の整数を示す。）で示される化合物でコーティングされてなることを特徴とするペプチドアレイ。
【化１】
2006226828.tif 000002
２．ｍが２〜１０の整数であることを特徴とする１のペプチドアレイ。
３．ｍが４〜８の整数であることを特徴とする１又は２のペプチドアレイ。
４．ｎが２〜８の整数であることを特徴とする１〜３のいずれかのペプチドアレイ。
５．ｎが３〜６の整数であることを特徴とする１〜４のいずれかのペプチドアレイ。
６．ペプチドがチオール基を介して固定化されていることを特徴とする１〜５のいずれかのペプチドアレイ。
７．式（ＩＩ）もしくは式（ＩＩＩ）に示す化合物を架橋剤として介してペプチドが固定化されていることを特徴とする１〜６のいずれかのペプチドアレイ。
【化２】
2006226828.tif 000003
【化３】
2006226828.tif 000004
８．チップ表面が金であることを特徴とする１〜７のいずれか載のペプチドアレイ。
９．チップの基板が透明基板であることを特徴とする１〜８のいずれかのペプチドアレイ。
１０．２種類以上のペプチドが同一チップ上に固定化されることを特徴とする１〜９のいずれかのペプチドアレイ。
１１．固定化されるペプチドの少なくとも一方の末端がシステイン残基であることを特徴とする１〜１０のいずれかのペプチドアレイ。
１２．固定化されるペプチドのうち少なくとも１種はプロテインキナーゼの基質として機能することを特徴とする１〜１１のいずれかのペプチドアレイ。
１３．表面プラズモン共鳴（ＳＰＲ）解析に用いられることを特徴とする１〜１２のいずれかのペプチドアレイ。
【発明の効果】
【００１０】
本発明におけるアレイを用いた相互作用解析により、標的シグナルは向上され、更に非特異的吸着が抑制された精度のよい測定系を得ることができる。
【発明を実施するための最良の形態】
【００１１】
本発明のペプチドアレイにおけるペプチドの固定化方法は特に限定されるものではなく、ペプチド配列におけるアミノ基やチオール基を介した方法、Ｈｉｓタグを用いる方法などが挙げられる。この中では、特にチオール基を介してペプチドを固定化する方法が、特異性、感度の両面から特に好ましい。固定化されるペプチドに関しては、１種類のみであってもよいし、２種類以上であってもよい。ここで、ペプチドとは一般的に用いられる意味のものを指し、アミノ酸が２個以上ペプチド結合により連結されたものである。そのアミノ酸残基の数は特に限定されないが、通常は５〜６０残基程度であり、１０〜２５残基程度がより好ましい。分析する目的に応じて、アミノ酸残基のうち１乃至数残基において化学的な修飾を加えられたアミノ酸が含まれていてもよい。また特に限定されるものではないが、特定の酵素に対して基質としての機能を有しているペプチドを少なくとも１種は含むことが好ましい。
【００１２】
固定化されるペプチドのアミノ酸配列において少なくとも１箇所以上のシステイン残基が存在することが好ましい。システイン残基は固定化されるペプチドが本来の機能を奏するために必要なアミノ酸配列として必須な残基として存在している場合であっても、あるいはペプチドが本来の機能を奏するために必要なアミノ酸配列に対してさらに付加された場合であってもよい。固定化されるペプチドにおけるシステイン残基の存在位置は特に限定されないが、好ましくは少なくとも一方の末端に、より好ましくは一方の末端のみに付加されてなる方がよい。一方の末端にシステイン残基を付加させる場合、システイン残基のみを付加してもよいが、固定化されたペプチドの自由度を上げることにより作用させる物質との相互作用の効率を高めるためにスペーサーとして１乃至数残基のアミノ酸配列をさらに付加させてもよい。スペーサー部分のアミノ酸配列は特に限定されないが、なかでもグリシン残基及び／又はアラニン残基もしくはセリン残基が１乃至数個の配列を付加させることが特に好ましい。
【００１３】
また、固定化されるペプチドに対して、チオール基を有する化合物が１箇所以上のいずれかのアミノ酸残基において化学結合されている状態のものを用いてもよい。該化合物の結合箇所も特に限定はされないが、いずれかの末端のアミノ酸残基に結合されていることが好ましい。
【００１４】
本発明において、チオール基を介してペプチドを固定化する場合、予めアミノ基を表面に導入した後、スクシンイミド（ＮＨＳ）基もしくは硫酸スクシンイミド基とマレイミド（ＭＡＬ）基を有するヘテロ二官能型架橋剤を用いることが特に好ましい。このようなヘテロ二官能型架橋剤としては、ＰＥＧのような親水性高分子の両端がＮＨＳ基とＭＡＬ基で修飾されたものを用いることも可能であるが、ペプチドの固定化収率を向上させるためには、より低分子量のものを用いてもよい。具体的には、式（ＩＩ）に示す化合物Ｓｕｃｃｉｎｉｍｉｄｙｌ  ４−［Ｎ−ｍａｌｅｉｍｉｄｏｍｅｔｈｙｌ］ｃｙｃｌｏｈｅｘａｎｅ−１−ｃａｒｂｏｘｙｌａｔｅ（以下、ＳＭＣＣと示す。）もしくは式（ＩＩＩ）に示す化合物Ｓｕｌｆｏｓｕｃｃｉｎｉｍｉｄｙｌ  ４−［Ｎ−ｍａｌｅｉｍｉｄｏｍｅｔｈｙｌ］ｃｙｃｌｏｈｅｘａｎｅ−１−ｃａｒｂｏｘｙｌａｔｅ（以下、ＳＳＭＣＣと示す。）が挙げられる。なお、式（ＩＩ）もしくは式（ＩＩＩ）に示す化合物と完全に同一構造のものだけを指すのではなく、その機能を損なわない範囲でアナログ化された化合物をも包含する。また、本発明においてはＳＭＣＣ及びＳＳＭＣＣのいずれも適用することが可能であるが、水に対する溶解性の点からは、緩衝液のような水系で反応させる場合においてはＳＳＭＣＣを用いる方がより好ましい。
【００１５】
【化４】
2006226828.tif 000005
【００１６】
【化５】
2006226828.tif 000006
【００１７】
上述したような低分子量化合物を適用することにより、特に高分子量の物質を架橋剤として用いる場合と比べて、ペプチドのチップへの固定化効率が格段に高くなるため標的物質との結合効率も向上して、結合によるシグナルがより鮮明になるという効果を奏するものである。また、非特異的な影響に関してもほとんど問題とならず、いわゆるＳ／Ｎ比を大きくすることができる点で有利である。しかしながら、本発明において架橋剤の種類は、特にこれらに限定されるものではない。
【００１８】
上記ＳＭＣＣもしくはＳＳＭＣＣをチップ上に導入させてマレイミド表面を形成させるためには、ＳＭＣＣにおけるもう一方の端に有するスクシンイミド基あるいはＳＳＭＣＣにおけるもう一方の端に有する硫酸スクシンイミド基と反応性を有する官能基、具体的にはアミノ基を予めチップ上に導入させておく必要がある。チップ上にアミノ基を導入する手段は特に限定されるものではない。基板表面に分子を整列させる自己組織化表面の手法、反応試薬を用いて導入する方法、官能基を有する物質をチップ上にコーティングする手段などが挙げられる。また、表面に導入しておいた官能基を起点として、架橋剤を用いてアミノ基を導入する手段なども含まれる。
【００１９】
本発明におけるペプチドチップの固定化方法はさまざまな用途に応用可能である。一般にアレイにおける検出手段としてよく用いられている蛍光性物質、化学発光性物質、放射性物質等による検出系においても有効であるが、特に表面プラズモン共鳴（ＳＰＲ）や和周波発生（ＳＦＧ）、局在プラズモン共鳴（ＬＰＲ）、エリプソメトリなどの光学的検出方法に絶大な効果を発揮する。なかでも、ＳＰＲによる解析系において特に有用である。一般的なチップ、アレイにおいては、相互作用の検出方法として蛍光物質や放射線同位体によるラベル手段による検出が用いられる。この場合、最終的にラベル物質が結合したかどうかだけを検出することができ、相互作用に関係のない物質が非特異的に吸着しても、誤って検出されることはない。従って、相互作用する対象物質がネガティブコントロールに対して非特異的に吸着してなければ、正確に測定できているものと判断することができる。
【００２０】
しかし、ラベルフリーな光学的検出方法においては、どのような物質がチップ上に吸着してもシグナルとして検出される。すなわち、測定対象ではない物質が非特異的に吸着するのと、特異的な吸着を区別することが難しい。よって、よりシビアに非特異的な吸着を抑制する手段が求められるため、本発明の固定化方法は非常に効果的である。
【００２１】
ＥＬＩＳＡ法やラベル物質を用いる相互作用解析方法においてはブロッキング方法として牛血清アルブミンやカゼインなどによる物理吸着が一般的に選択されている。物理吸着の方法は容易ではあるが、安定しておらず、経時的にチップ表面から脱離する場合がある。上記の光学的検出方法にはブロッキング剤の脱離さえも検出するため、共有結合によるブロッキングを行うことが好ましい。特に未反応のマレイミド基表面をブロッキングする場合は、チオール基を有する化合物を用いるのが好ましく、特にＰＥＧ（ポリエチレングリコール）の誘導体が好適に用いられる。
【００２２】
ＳＰＲ、ＳＦＧ、ＬＰＲ、エリプソメトリにおいては、金属基板が使用される。本発明において、基板の素材は、酸・アルカリ・有機溶媒などに非常に安定な金が好ましい。実際、金は上記光学的検出方法で多用される物質である。また、金を支持する物質は透明である方が好ましく、透明なガラスであるとより好ましい。透明なガラスは容易に入手できるだけでなく、ＳＰＲやＬＰＲの測定に極めて適しているからである。
【００２３】
金属基板を形成する方法としては、金属薄層をコーティングする方法が好ましい。金属をコーティングする方法は特に限定されるものではないが、一般的に蒸着法、スパッタリング法、イオンコーティング法などが選択される。光学的な検出方法に供するために、金属薄層の厚みをナノレベルでコントロールする必要がある。金属薄層の厚みも特に限定されるものではないが、一般的には３０ｎｍから８０ｎｍの範囲で選択される。金属薄層の剥離を抑制するため、０．５ｎｍから１０ｎｍのクロム層やチタン層を予め基板にコーティングしておいてもよい。
【００２４】
このＳＰＲを応用したＳＰＲイメージング法は、広範囲に偏光光束を照射し、その反射像を解析することで、物質間の相互作用の様子を画像処理技術等を駆使することによりモニター化する方法であり、複数の物質を固定化したチップをスクリーニングすることや、表面に吸着する物体のモルホロジーを高感度に観察することが可能である。
【００２５】
ＳＰＲイメージング法においては、反射像を解析するためにチップに広範囲で偏光光束を照射し、かつ光束の照度を十分に確保するための手段が必要である。図１においてその一例を示した。偏光光束の照度は明るいほどセンサーの感度が上昇してより好ましい。
【００２６】
光源の種類は特に限定されるものではないが、ＳＰＲ共鳴角の変化が特に敏感になる近赤外光を含む光を用いるのが好ましい。具体的には、メタルハライドランプ、水銀ランプ、キセノンランプ、ハロゲンランプ、蛍光灯、白熱灯などの広範囲に光を照射することのできる白色光源を用いることができるが、なかでも得られる光の強度が十分に高く、光の電源装置が簡易で安価なハロゲンランプが特に好ましい。
【００２７】
通常の白色光源はフィラメント部に光の明暗ムラが生じる欠点がある。光源の光をそのまま照射すると、反射して得られる像に明暗ムラが生じ、スクリーニングやモルホロジー変化を評価するのが困難となる。したがって、チップに均一に光を照射する手段として、光をピンホールに通してから平行光にする方法が好ましい。ピンホールを通す手段は、明るさの均一な光束を得る手段としては好ましいが、そのままピンホールに光を通すと照度が低下する欠点がある。そこで、十分な照度を確保する手段として、ピンホールと光源の間に凸レンズを設置し、集光してピンホールを通す方法を用いることが好ましい。
【００２８】
白色光源は放射光であるため、集光する前に凸レンズを用いて平行光にする必要がある。凸レンズの焦点距離近傍に光源を設置することで、平行光を得ることができる。もう一枚凸レンズを設置し、そのレンズの焦点距離近傍にピンホールを設置することで集光した光をピンホールに通すことが可能である。ピンホール内で交差し、通過した光はカメラ用のＣＣＴＶレンズで平行光とするが、その際に得られる平行光束の断面面積は１０〜１０００ｍｍ２に調節するのが好ましい。この方法によって広範囲にわたるスクリーニングやモルホロジー観察が可能となる。
【００２９】
相互作用をモニターする際に、上記偏光光束は物質あるいは物質の集合体が固定化されている金属薄膜の反対面に照射される。上記偏光光束は物質もしくは物質の集合体が固定化されている金属薄膜の反対面に照射され、その反射光束が得られる。金属薄膜からの反射光束は近赤外波長の光干渉フィルターを通し、ある波長付近の光のみを透過させてからＣＣＤカメラで撮影される。
【００３０】
光干渉フィルターの中心波長は、ＳＰＲの感度が高い６００〜１０００ｎｍが好ましい。光干渉フィルターの透過率が極大時の半分になる波長の波長幅を半値巾と呼ぶが、半値巾は小さい方が波長の分布がシャープとなり好ましく、具体的には半値巾１００ｎｍ以下が好ましい。光干渉フィルターを通してＣＣＤカメラで撮影された像はコンピュータに取り込まれ、ある部分の明るさの変化をリアルタイムで評価することや、画像処理により全体像の評価が可能である。こうして複数の物質を固定化したチップをスクリーニングすることや、表面に吸着する物体のモルホロジーを高感度に観察することができる。
【００３１】
本発明において用いるＳＰＲ用のチップは好ましくは透明な基板上に金属薄膜が形成された金属基板からなり、上記金属薄膜上に直接的もしくは間接的に、化学的もしくは物理的に、物質もしくは物質の集合体が固定化されているスライドが用いられる。基板の素材は特に限定されるものではないが、透明なものを用いるのが好ましい。具体的にはガラス、あるいはポリエチレンテレフタレート（ＰＥＴ）、ポリカーボネート、アクリルなどのプラスチック類が挙げられる。中でもガラスが特に好ましい。
【００３２】
基板の厚さは０．１〜２０ｍｍ程度が好ましく１〜２ｍｍ程度がより好ましい。金属薄膜からの反射像を評価する目的を達成するために、ＳＰＲ共鳴角はできるだけ小さい方が撮影される画像がひしゃげる恐れがなく解析がしやすい。したがって、透明基板あるいは透明基板とそれに接触するプリズムの屈折率ｎＤは１．５以上であることが好ましい。
【００３３】
本発明のペプチドアレイは、ペプチドの固定化されていない部分（バックグラウンド部）が、式（Ｉ）に示すような化合物によりコーティングされていることを特徴とするものである。式（Ｉ）においてｍは１〜２０の整数、ｎは１〜１０の整数を示す。ｍの値は、２〜１０の範囲がより好ましく、４〜８の範囲が更に好ましい。ｎの値は、２〜８の範囲がより好ましく、３〜６の範囲が更に好ましい。この化合物によりバックグラウンド部をコーティングすることにより、バックグラウンド部における非特異的吸着を非常に効果的に抑制することが実現される。また、本発明のペプチドアレイは、基板の製造ロットや処理条件などの様々な変動要因に依存されるデータの再現性も向上し、非常に安定な測定データを得ることが可能である。
【００３４】
【化６】
2006226828.tif 000007
【００３５】
本発明のペプチドアレイは、物質間の相互作用解析に主に用いられるが、特に用途が限定されるものではない。なかでも、特にペプチドのリン酸化の検出に有用である。この場合は、プロテインキナーゼの基質となりうるアミノ酸配列を含むペプチドを１種以上固定化されてなる。好ましくはプロテインキナーゼの基質となりうる多種類のペプチドが固定化されてなるアレイであり、これを用いてＯｎ−ｃｈｉｐでリン酸化反応を行うことにより、プロテインキナーゼ活性のプロファイリングによる網羅的な解析を行うことができ、創薬のスクリーニングに有用な技術を提供することが実現される。
【実施例】
【００３６】
以下に実施例を示して本発明を具体的に説明するが、本発明は実施例に特に限定されるものではない。
【００３７】
［実施例１］
（ペプチド固定化）
式（ＩＶ）に示すような、末端官能基がチオール基である直鎖型チオールＰＥＧ試薬（ＳｅｎｓｏＰａｔｈ製ＳＰＳＰＴ−００１１）を１ｍＭの濃度でエタノール７ｍｌに溶解させた。直鎖型チオールＰＥＧの分子量は３３６．５４である。特に、金に対する金属結合性を示す。
【００３８】
【化７】
2006226828.tif 000008
【００３９】
１８ｍｍ四方、２ｍｍ厚のＳＦ１５ガラススライドにクロムを３ｎｍ蒸着し、金を４５ｎｍ蒸着した金蒸着スライドを、上記直鎖型ＰＥＧチオール溶液に３時間浸漬させ、金基板全体にＰＥＧチオールを結合させた。
【００４０】
このスライドの上にフォトマスクを載せ、５００Ｗ超高圧水銀ランプ（ウシオ電機製）で２時間照射し、ＵＶ照射部のＰＥＧチオールを除去した。フォトマスクは５００μｍ四方の正方形の穴が９６個有し（８個×１２個のパターンからなる。）、穴の中心間のピッチは１ｍｍに設計されている。フォトマスクの穴があいている部分はＵＶ光が透過し、スライドに照射されてパターン化される。照射されなかった部分はＰＥＧが残り、チップのバックグラウンド（Ｂａｃｋｇｒｏｕｎｄ）部分としてレファレンス部として機能する。
【００４１】
８−Ａｍｉｎｏ−１−Ｏｃｔａｎｅｔｈｉｏｌ， Ｈｙｄｒｏｃｈｒｏｌｉｄｅ（８−ＡＯＴ，同仁化学研究所製）の１ｍＭエタノール溶液に１時間浸漬し、ＵＶ照射部に８−ＡＯＴの自己組織化表面を形成させた。ＳＳＭＣＣ（ピアス製）をリン酸緩衝液（２０ｍＭ  リン酸、１５０ｍＭ  ＮａＣｌ；ｐＨ７．２）に０．４ｍｇ／ｍｌで溶解し、金表面の８−ＡＯＴに１５分間反応させた。８−ＡＯＴのアミノ基とＳＳＭＣＣのＮＨＳ基が反応し、ＭＡＬ基は未反応のまま残るため、ＰＥＧを介してマレイミド基を表面に導入することができた。
【００４２】
上記のようにして得られた表面に、図１下部に示したように、ＰＫＡ（プロテインキナーゼＡ）の基質となるアミノ酸配列からなるペプチド（配列表・配列番号１）、ＰＫＡ基質のネガティブコントロール（配列表・配列番号２；セリン残基がアラニン残基に置換）、ＰＫＡ基質のポジティブコントロール（セリン残基がリン酸化）、ｃＳｒｃキナーゼの基質となるアミノ酸配列からなるペプチド（配列表・配列番号３）、ｃＳｒｃキナーゼ基質のポジティブコントロール（チロシン残基がリン酸化）を、いずれもリン酸緩衝液（２０ｍＭリン酸、１５０ｍＭ  ＮａＣｌ；ｐＨ７．２）に１ｍｇ／ｍｌで溶解して、ＭｕｌｔｉＳＰＲｉｎｔｅｒスポッター（東洋紡績製）を用いて１０ｎｌずつスポッティングを行った。その後、ウェットな環境下で室温、１６時間静置させて固定化反応を行った。チップの表面に形成させたマレイミド基と基質ペプチド末端のシステイン残基が有するチオール基とが反応し、基質ペプチドを共有結合的に表面に固定化することができる。
【００４３】
（未反応マレイミド基のブロッキング）
基質ペプチドを固定化した表面をリン酸緩衝液で洗浄した後、未反応のマレイミド基をブロッキングするために、上記ＴＥＧ−ＳＨを１ｍＭ濃度になるようにリン酸緩衝液（２０ｍＭリン酸、１５０ｍＭ  ＮａＣｌ；ｐＨ７．２）に溶解して、２５０μｌをチップ上に注出し、室温で１時間反応させた。また比較例として、片末端の官能基がチオール基、もう一方の官能基がメトキシ基であるＰＥＧチオール（日本油脂製ＳＵＮＢＲＩＧＨＴ  ＭＥＳＨ−５０Ｈ）を１ｍＭ濃度になるようにリン酸緩衝液（２０ｍＭリン酸、１５０ｍＭ  ＮａＣｌ；ｐＨ７．２）に溶解して、２５０μｌをチップ上に注出し、室温で１時間反応させた。ここで用いたＰＥＧチオールの分子量は５，０００である。
【００４４】
（ＳＰＲ解析によるＰＫＡリン酸化の検出）
上記のようにブロッキングを行ったアレイ上を用いてＰＫＡによるリン酸化を行った。ＰＫＡ溶液４００μｌをアレイ上にドロップして、３０℃、４時間反応を行った。ＰＫＡ溶液の組成は、ＰＫＡ触媒サブユニット（プロメガ製）１μｌ、５０ｍＭトリス−塩酸緩衝液（ｐＨ７．４）３７５μｌ、１Ｍ塩化マグネシウム溶液２０μｌ、１０ｍＭ  ＡＴＰ４μｌとした。その後、ＰＢＳ及び水で３回ずつアレイの洗浄を行い、アレイ表面を乾燥した後、ＳＰＲイメージング機器（ＭｕｌｔｉＳＰＲｉｎｔｅｒ：東洋紡績製）にセットし、ランニングバッファーとして５０ｍＭトリス−塩酸緩衝液（ｐＨ７．４）を１００μｌ／ｍｉｎの速度でフローセル内に流した。ＳＰＲからのシグナルが安定したのを確認した後に、リン酸化セリン抗体ＰＳＲ−４５（シグマ製）をＳＰＲ装置内のセルへ注入して作用させた。抗体は上記のランニングバッファーで１０００倍希釈した溶液を用いて作用させた。シグナル上昇がプラトー状態になった時点で再度ランニングバッファーを送液して洗浄を行った。その際のＳＰＲシグナルの変化を観察した。シグナル変化の観察は、各基質のスポット部位に加え、Ｂａｃｋｇｒｏｕｎｄにおいても実施した。
【００４５】
（観察の結果と考察）
ＳＰＲイメージングを行った結果を図１に示した。ＳＰＲ解析に際して、ＣＣＤカメラによる画像の取り込みを５秒ごとに行い、抗体反応後における時点で取り込まれた画像から、反応前の時点での画像を、画像演算処理ソフトウエアScion Image（Scion Corp.製）を用いて引き算処理を行った結果である。ＰＫＡ基質のポジティブコントロールに対しては非常に強い抗体結合シグナルの上昇を確認されており、更にＰＫＡ基質においてはある程度の割合で結合シグナルの上昇を認めることができる。一方、ネガティブコントロール、ｃＳｒｃ基質、ブランク及びＢａｃｋｇｒｏｕｎｄに関してはほとんどシグナル変化を認めることができない。用いた検出抗体の反応選択性の問題によりリン酸化チロシンにおいてもシグナルが確認されているが、セリン残基のリン酸化・非リン酸化の識別性に関しては、ここでは全く問題ない。したがって、この方法により、特異的なＰＫＡ基質のリン酸化を検出することができている。
【００４６】
［実施例２］
実施例１と同じアレイを作製、ブロッキングを行ったアレイ上を用いてｃＳｒｃキナーゼによるリン酸化を行った。ｃＳｒｃ溶液３００μｌをアレイ上にドロップして、３０℃で５時間反応を行った。ｃＳｒｃ溶液の組成は、ｃＳｒｃキナーゼ（Ｕｐｓｔａｔｅ製；５Ｕ／μｌ）６μｌ、５０ｍＭ  ＭＥＳ緩衝液（ｐＨ６．８）２７６μｌ、１Ｍ塩化マグネシウム溶液１５μｌ、１０ｍＭ  ＡＴＰ３μｌとした。その後、ＰＢＳ及び水で３回ずつアレイの洗浄を行い、アレイ表面を乾燥した後、ＳＰＲイメージング機器に同様にセットして、ランニングバッファーとして５０ｍＭトリス−塩酸緩衝液（ｐＨ７．４）を１００μｌ／ｍｉｎの速度でフローセル内に流した。ＳＰＲからのシグナルが安定したのを確認した後に、リン酸化チロシン抗体ＰＴ−６６（シグマ製）をＳＰＲ装置内のセルへ注入して作用させた。抗体は上記のランニングバッファーで２０００倍希釈した溶液を用いて作用させた。シグナル上昇がプラトー状態になった時点で再度ランニングバッファーを送液して洗浄を行った。その際のＳＰＲシグナルの変化を観察した。シグナル変化の観察は、各基質のスポット部位に加え、Ｂａｃｋｇｒｏｕｎｄにおいても実施した。
【００４７】
実施例１と同様にして、ＳＰＲイメージングを行った結果を図２に示した。この場合は、ｃＳｒｃ基質のポジティブコントロールに対しては非常に強い抗体結合シグナルの上昇を確認されており、更にｃＳｒｃ基質においてはある程度の割合で結合シグナルの上昇を認めることができる。一方、ＰＫＡ基質（セリン、リン酸化セリン、アラニン型全て）、ブランク及びＢａｃｋｇｒｏｕｎｄに関してはほとんどシグナル変化を認めることができない。したがって、この方法により、非常に特異的にｃＳｒｃ基質のリン酸化を検出することができている。
【産業上の利用可能性】
【００４８】
本発明により、ペプチドアレイにおける非特異的吸着に関して効果的に抑制することができ、より正確な測定が可能となる。また処理方法も非常に容易であるうえに、様々な変動要因が関わった場合の測定データの安定性の点でも非常に優れている。今後産業界に大きく寄与することが期待される。
【図面の簡単な説明】
【００４９】
【図１】実施例１において、ＰＫＡによるリン酸化反応に関するＳＰＲイメージングを行った結果を示す図である。
【図２】実施例２において、ｃＳｒｃキナーゼによるリン酸化反応に関するＳＰＲイメージングを行った結果を示す図である。
【図１】
2006226828.tif 000013
【図２】
2006226828.tif 000014
【配列表】
2006226828000001.app